(57)【特許請求の範囲】
【請求項１】
ケーブルを固定して保持するケーブルクランプであって、
ケースと、
前記ケースの内壁面に設けられている複数の第１突起と、
前記ケースの前記複数の第１突起とは反対側の内壁面に、前記複数の第１突起と互い違いに設けられている複数の第２突起と、を有し、
前記複数の第１突起及び前記複数の第２突起は、それぞれ可とう性を有し、
隣り合う２つの第１突起の間の間隔、隣り合う２つの第２突起の間の間隔及び前記複数の第１突起の先端と前記複数の第２突起の先端との間の、前記第１突起が延びる方向の間隔が、前記ケーブルの直径未満であり、
前記複数の第１突起の前記方向の長さ及び前記複数の第２突起の前記方向の長さは、前記ケーブルの直径よりも長い
ことを特徴とするケーブルクランプ。
【請求項２】
前記複数の第２突起は、先端が前記複数の第１突起の間まで延びている
ことを特徴とする請求項１に記載のケーブルクランプ。
【請求項３】
前記複数の第１突起は、間に挟んでいる前記ケーブルに引っ掛かる返し部が先端に形成されている
ことを特徴とする請求項１又は２に記載のケーブルクランプ。
【請求項４】
前記ケースは、前記ケーブルが差し込まれる差込口が形成されており、
前記差込口の幅が、前記ケーブルの直径未満である
ことを特徴とする請求項１から３の何れか一項に記載のケーブルクランプ。
【請求項５】
請求項１から４の何れか一項に記載のケーブルクランプを有する
ことを特徴とする電子機器。
【発明の詳細な説明】
【技術分野】
【０００１】
本発明は、ケーブルクランプ及び電子機器に関する。
【背景技術】
【０００２】
例えばノートパソコンでは、本体の内部に設けられているアンテナやカメラ等と基板とを接続する複数のケーブルを配線するために、所定の位置に取り付けられてケーブルを保持するケーブルクランプが用いられている。
【０００３】
このようなケーブルクランプとして、ケーブル束をダクト室に入れてケーブルバンドで締め付けることで固定するケーブルダクトが開示されている（例えば、特許文献１参照）。
【０００４】
また、平板状のベースに弾性材料で形成された複数の挟圧突片を配列し、挟圧突片の間に圧入されるケーブルを固定する線材固定用治具が開示されている（例えば、特許文献２参照）。
【先行技術文献】
【特許文献】
【０００５】
【特許文献１】特開平５−２８４６２６号公報
【特許文献２】特開平６−１２０６７９号公報
【発明の概要】
【発明が解決しようとする課題】
【０００６】
しかしながら、特許文献１におけるケーブルダクトでは、ダクト室に入れられたケーブル束は、ケーブルバンドで締め付けられるまで固定されない。このため、ダクト室に入れてからケーブルバンドで締め付けるまでの間にケーブルが動いてしまうという問題がある。また、特許文献２における線材固定用治具では、ケーブルが引っ張られると、簡単にケーブルが動いたり抜けたりするという問題がある。
【０００７】
そこで、一つの側面では、ケーブルクランプにおいてケーブルを固定して保持することを目的とする。
【課題を解決するための手段】
【０００８】
本実施形態の一観点によれば、ケーブルを固定して保持するケーブルクランプであって、ケースと、前記ケースの内壁面に設けられている複数の第１突起と、前記ケースの前記複数の第１突起とは反対側の内壁面に、前記複数の第１突起と互い違いに設けられている複数の第２突起と、を有し、前記複数の第１突起及び前記複数の第２突起は、それぞれ可とう性を有し、隣り合う２つの第１突起の間の間隔、隣り合う２つの第２突起の間の間隔及び前記複数の第１突起の先端と前記複数の第２突起の先端との間の、前記第１突起が延びる方向の間隔が、前記ケーブルの直径未満であり、前記複数の第１突起の前記方向の長さ及び前記複数の第２突起の前記方向の長さは、前記ケーブルの直径よりも長い。
【発明の効果】
【０００９】
ケーブルクランプにおいてケーブルを固定して保持することができる。
【図面の簡単な説明】
【００１０】
【図１】本実施形態におけるノートパソコンの斜視図
【図２】本実施形態におけるノートパソコンの要部拡大図
【図３】図２（Ｂ）のｂ部分の拡大図
【図４】本実施形態におけるケーブルクランプの斜視図
【図５】本実施形態におけるケーブルクランプの上面図及び正面図
【図６】本実施形態におけるケーブルクランプにケーブルが取り付けられる工程を示す図
【図７】本実施形態におけるケーブルクランプに複数のケーブルが取り付けられている様子を示す図
【図８】変形例１におけるケーブルクランプを示す図
【図９】変形例２におけるケーブルクランプを示す図
【図１０】変形例３におけるケーブルクランプの斜視図
【図１１】変形例３におけるケーブルクランプの上面図及び正面図
【図１２】変形例４におけるケーブルクランプを示す図
【発明を実施するための形態】
【００１１】
以下、図面を参照して発明を実施するための形態について説明する。各図面において、同一構成部分には同一符号を付し、重複した説明を省略する場合がある。
【００１２】
図１は、本実施形態におけるノートパソコン１の斜視図である。
【００１３】
図１に示されるように、ノートパソコン１は、ディスプレイ部１０、本体部２０を有する。ディスプレイ部１０と本体部２０とは、ヒンジ等により接続されて折り畳むことができるようになっている。
【００１４】
ディスプレイ部１０は、液晶ディスプレイ１１、カメラ１２、背面カバー１３、表示面カバー１４を有する。背面カバー１３は、液晶ディスプレイ１１及びカメラ１２が取り付けられ、液晶ディスプレイ１１の表示面とは反対側の背面を覆う。
【００１５】
液晶ディスプレイ１１と背面カバー１３の周縁との間は、カメラ１２以外の部分が表示面カバー１４により覆われている。本体部２０は、筐体２１、キーボード２２を有する。筐体２１は、内部にメイン基板が設けられており、上面側にキーボード２２が取り付けられている。
【００１６】
図２は、本実施形態におけるノートパソコン１の要部拡大図である。図２（Ａ）は、図１において一点鎖線で囲まれているａ部分の拡大図である。また、図２（Ｂ）は、表示面カバー１４が取り外された状態を示す図である。
【００１７】
図２（Ａ）に示されるように、ディスプレイ部１０は、液晶ディスプレイ１１と背面カバー１３の周縁との間が表示面カバー１４により覆われている。液晶ディスプレイ１１と背面カバー１３の周縁との間には、図２（Ｂ）に示されるように、アンテナ１５等が設けられている。また、液晶ディスプレイ１１と背面カバー１３の周縁との間には、アンテナ１５と本体部２０に設けられているメイン基板とを接続するケーブル３０が配線されている。ケーブル３０は、例えば同軸ケーブルである。
【００１８】
図３は、図２（Ｂ）において一点鎖線で囲まれているｂ部分の拡大図である。図３に示されるように、液晶ディスプレイ１１と背面カバー１３の周縁との間には、ケーブル３０を保持するケーブルクランプ１００が設けられている。ケーブルクランプ１００は、ケーブル３０が配線される部分に設けられ、ケーブル３０を固定して保持する。
【００１９】
図４は、本実施形態におけるケーブルクランプ１００の斜視図である。また、図５は、本実施形態におけるケーブルクランプ１００の上面図及び正面図である。図５（Ａ）はケーブルクランプ１００の上面図であり、図５（Ｂ）はケーブルクランプ１００の正面図である。
【００２０】
なお、以下に示される図面におけるＸ１Ｘ２方向は、ケーブルクランプ１００の幅方向である。また、Ｙ１Ｙ２方向はケーブルクランプ１００の奥行き方向であり、Ｚ１Ｚ２方向はケーブルクランプ１００の高さ方向である。また、以下では、Ｚ１方向を上、Ｚ２方向を下として説明する場合がある。
【００２１】
図４及び図５に示されるように、ケーブルクランプ１００は、ケース１０１、第１突起１２１ａ、１２１ｂ、１２１ｃ、第２突起１２２ａ、１２２ｂを有する。ケーブルクランプ１００は、例えば、弾性を有する樹脂材料により形成されている。以下の説明では、第１突起１２１ａ、１２１ｂ、１２１ｃを「第１突起１２１」と称する場合がある。また、第２突起１２２ａ、１２２ｂを「第２突起１２２」と称する場合がある。
【００２２】
ケース１０１は、正面視で矩形の枠状に形成されており、第１側壁１１１、第２側壁１１２、第３側壁１１３、及び第４側壁１１４を有する。ケース１０１には、第３側壁１１３に形成されている差込口１１０からケーブル３０が内部に差し込まれる。
【００２３】
差込口１１０は、図５（Ａ）に示されている幅Ｗが、ケーブルクランプ１００に取り付けられるケーブル３０の直径未満に形成されている。差込口１１０の幅Ｗがケーブル３０の直径未満に形成されることで、ケース１０１の内部に入れられたケーブル３０が差込口１１０から外れにくくなる。
【００２４】
第１突起１２１は、ケース１０１の内側において、第１側壁１１１から第２側壁１１２の側に向かって延びるように、第１側壁１１１の内壁面に設けられている。本実施形態では、３つの第１突起１２１ａ、１２１ｂ、１２１ｃが、Ｚ１Ｚ２方向に沿って上下に並んで形成されている。また、第１突起１２１ａ、１２１ｂ、１２１ｃは、それぞれ弾性材料により円柱状に形成されて可とう性を有し、例えばＹ１Ｙ２方向やＺ１Ｚ２方向に撓むことができる。
【００２５】
図５（Ｂ）に示されている第１突起１２１のＺ１Ｚ２方向における間隔Ｄ１は、ケーブルクランプ１００に取り付けられるケーブル３０の直径未満に形成されている。間隔Ｄ１をケーブル３０の直径未満に形成することで、第１突起１２１ａ、１２１ｂ、１２１ｃが間に挿入されるケーブル３０を上下から挟み込んで保持することができるようになる。
【００２６】
第２突起１２２は、ケース１０１の内側において、第２側壁１１２から第１側壁１１１の側に向かって延びるように、第２側壁１１２の内壁面に設けられている。本実施形態では、２つの第２突起１２２ａ、１２２ｂが、Ｚ１Ｚ２方向に沿って上下に並んで形成されている。また、第２突起１２２ａ、１２２ｂは、それぞれ弾性材料を用いて円柱状に形成されて可とう性を有し、例えばＹ１Ｙ２方向やＺ１Ｚ２方向に撓むことができる。
【００２７】
図５（Ｂ）に示されている第２突起１２２のＺ１Ｚ２方向における間隔Ｄ２は、ケーブルクランプ１００に取り付けられるケーブル３０の直径未満に形成されている。間隔Ｄ２をケーブル３０の直径未満に形成することで、第２突起１２２ａ、１２２ｂが間に挿入されるケーブル３０を上下から挟み込んで保持することができるようになる。
【００２８】
上記したように、本実施形態におけるケーブルクランプ１００では、第１突起１２１が第１側壁１１１からＸ２方向に延びるように形成されている。また、第２突起１２２が、第１突起１２１が形成されている第１側壁１１１とは反対側の第２側壁１１２からＸ１方向に延びるように形成されている。第１突起１２１及び第２突起１２２は、ケース１０１の内側に延びる方向が互いに平行であり、上下に互い違いに延びるように形成されている。
【００２９】
本実施形態におけるケーブルクランプ１００では、上側の第２突起１２２ａが上側２つの第１突起１２１ａ、１２１ｂの間に向かって延びるように形成されている。また、真ん中の第１突起１２１ｂが第２突起１２２ａ、１２２ｂの間に向かって延びるとともに、下側の第２突起１２２ｂが下側２つの第１突起１２１ｂ、１２１ｃの間に延びるように形成されている。
【００３０】
また、図５（Ｂ）に示されている第１突起１２１の先端と第２突起１２２の先端とのＸ１Ｘ２方向における間隔Ｄ３は、ケーブルクランプ１００に取り付けられるケーブル３０の直径未満に形成されている。本実施形態における第１突起１２１及び第２突起１２２は、Ｘ１Ｘ２方向において同じ長さに形成されているが、間隔Ｄ３がケーブル３０の直径未満となるように、それぞれ異なる長さに形成されてもよい。
【００３１】
第１突起１２１及び第２突起１２２は、一方が挟み込んでいるケーブル３０を他方が押さえることで、ケーブルクランプ１００に取り付けられるケーブル３０を動かないように且つ抜けないように保持する。例えば、第２突起１２２は、第１突起１２１の間に挟み込まれているケーブル３０を、第１突起１２１の間から抜けないように押さえる。また、第１突起１２１は、第２突起１２２の間に挟み込まれているケーブル３０を、第２突起１２２の間から抜けないように押さえる。
【００３２】
図６は、本実施形態におけるケーブルクランプ１００にケーブル３０が取り付けられる工程を示す図である。
【００３３】
ケーブルクランプ１００にケーブル３０を取り付ける場合には、まず、図６（Ａ）に示されるようにケーブル３０を差込口１１０からケース１０１の内部に入れる。ケーブル３０でケース１０１の差込口１１０の周辺部分を弾性変形させて差込口１１０を押し広げるようにして、ケーブル３０を差込口１１０からケース１０１の内部に入れることができる。
【００３４】
次に、図６（Ｂ）に示されるように、ケーブル３０を第１突起１２１ａと第２突起１２２ａとの間を通って上側２つの第１突起１２１ａ、１２１ｂの間に向かって進める。このとき、第１突起１２１ａ及び第２突起１２２ａは、それぞれケーブル３０に押されて変形する。
【００３５】
続いて、図６（Ｃ）に示されるように、ケーブル３０を上側２つの第１突起１２１ａ、１２１ｂの間に挿入する。上側２つの第１突起１２１ａ、１２１ｂがケーブル３０を間に挟み込むとともに、上側の第２突起１２２ａが第１突起１２１ａ、１２１ｂに挟まれているケーブル３０を押さえることで、ケーブルクランプ１００がケーブル３０を保持した状態となる。
【００３６】
第１突起１２１ａ、１２１ｂは、ケーブル３０に押し広げられて弾性変形することで生じる復元力により、ケーブル３０を側面から挟み込んで保持する。また、第２突起１２２ａは、ケーブル３０が第１突起１２１ａ、１２１ｂの間から抜けないように押さえる。
【００３７】
ケーブル３０は、第１突起１２１ａ、１２１ｂの間に挟み込まれるとともに第２突起１２２ａにより押さえられることで、引っ張られても簡単には動いたり抜けたりしないように保持される。
【００３８】
ケーブルクランプ１００は、上記したように取り付けられるケーブル３０を、第１突起１２１及び第２突起１２２により固定して保持する。なお、ケーブルクランプ１００は、ケーブル３０を下側２つの第１突起１２１ｂ、１２１ｃの間に挟み込み、下側の第２突起１２２ｂで押さえるように保持することもできる。また、ケーブルクランプ１００は、ケーブル３０を第２突起１２２ａ、１２２ｂの間に挟み込み、真ん中の第１突起１２１ｂで押さえるように保持することもできる。
【００３９】
また、本実施形態におけるケーブルクランプ１００は、複数のケーブル３０を保持することもできる。図７は、本実施形態におけるケーブルクランプ１００に複数のケーブル３０が取り付けられている様子を示す図である。ケーブルクランプ１００は、図７（Ａ）及び（Ｂ）に示されるように、２本のケーブル３０ａ、３０ｂを保持することができる。また、ケーブルクランプ１００は、図７（Ｃ）に示されるように、３本のケーブル３０ａ、３０ｂ、３０ｃを保持することができる。
【００４０】
図７（Ａ）に示される例では、１本目のケーブル３０ａが、下側２つの第１突起１２１ｂ、１２１ｃの間で挟み込まれるとともに、下側の第２突起１２２ｂに押さえられることで、ケーブルクランプ１００に保持されている。また、２本目のケーブル３０ｂが、第２突起１２２ａ、１２２ｂの間で挟み込まれるとともに、真ん中の第１突起１２１ｂに押さえられることで、ケーブルクランプ１００に保持されている。
【００４１】
図７（Ｂ）に示される例では、１本目のケーブル３０ａが、図７（Ａ）に示される例と同様にケーブルクランプ１００に保持されている。また、２本目のケーブル３０ｂが、上側２つの第１突起１２１ａ、１２１ｂの間で挟み込まれるとともに、上側の第２突起１２２ａに押さえられることで、ケーブルクランプ１００に保持されている。
【００４２】
図７（Ｃ）に示される例では、１本目のケーブル３０ａ及び２本目のケーブル３０ｂが、図７（Ａ）に示される例と同様にケーブルクランプ１００に保持されている。また、３本目のケーブル３０ｃが、上側２つの第１突起１２１ａ、１２１ｂの間で挟み込まれるとともに、上側の第２突起１２２ａに押さえられることで、ケーブルクランプ１００に保持されている。
【００４３】
このように、本実施形態におけるケーブルクランプ１００は、１本から３本のケーブル３０を保持することができる。また、第１突起１２１及び第２突起１２２の数を増やして、ケーブルクランプ１００が４本以上のケーブル３０を保持できるようにしてもよい。
【００４４】
例えばノートパソコン１において１本のケーブル３０を配線する場合には、ケーブル３０をテープで固定することもできる。しかし、複数のケーブル３０を配線する場合に、ケーブルを１本ずつテープで固定しながら配線するのは非常に手間がかかる。これに対して、本実施形態におけるケーブルクランプ１００では、上記したように複数のケーブル３０を簡単に取り付けて保持させることができるため、複数のケーブル３０であっても簡単に配線作業を行うことが可能になる。
【００４５】
以上で説明したように、本実施形態におけるケーブルクランプ１００は、例えばノートパソコン１においてケーブル３０が配線される部分に設けられて、ケーブル３０を固定して保持する。本実施形態におけるケーブルクランプ１００では、ケーブル３０を差込口１１０から差し込んで第１突起１２１又は第２突起１２２の間に挿入するだけで、ケーブル３０を固定することができる。このため、ケーブルクランプ１００によれば、例えばケーブルベルト等を操作する必要がなく、簡単にケーブル３０を取り付けて固定することができる。
【００４６】
また、ケーブルクランプ１００に取り付けられたケーブル３０は、第１突起１２１及び第２突起１２２により、引っ張られても容易には動いたり抜けたりしないように保持される。このため、例えばノートパソコン１を組み立てる際に、ケーブルクランプ１００にケーブル３０を取り付けて保持させることで、ケーブル３０の配線作業を効率良く行うことが可能になる。
【００４７】
なお、ケーブルクランプ１００のケース１０１の形状は、例えばノートパソコン１における液晶ディスプレイ１１と背面カバー１３の周縁との間等、各種ケーブルを配線する部分に設けることが可能であれば、本実施形態において例示した形状に限られない。
【００４８】
また、第１突起１２１と第２突起１２２とのＸ１Ｘ２方向における間隔Ｄ３は、例えば、ケーブルクランプ１００に取り付けられるケーブル３０の半径未満にすることがより好ましい。第１突起１２１と第２突起１２２との間隔Ｄ３を小さくすることで、例えば、第２突起１２２が、第１突起１２１の間の深い位置（第１側壁１１１に近い位置）にケーブル３０を押し込んだ状態で押さえることができるようになる。また、同様に、第１突起１２１が、第２突起１２２の間の深い位置（第２側壁１１２に近い位置）にケーブル３０を押し込んだ状態で押さえることができるようになる。
【００４９】
第１突起１２１及び第２突起１２２は、間隔Ｄ３が小さいほどケーブル３０が深い位置まで挿入されて変形量が大きくなる。このため、第１突起１２１及び第２突起１２２は変形量に伴って復元力も大きくなり、ケーブル３０をより強く挟み込んで保持するようになる。このため、第１突起１２１と第２突起１２２との間隔Ｄ３をケーブル３０の半径未満とすることで、ケーブル３０がより動きにくく且つ抜けにくくなる。
【００５０】
また、例えば、上側２つの第１突起１２１ａ、１２１ｂの間隔、下側２つの第１突起１２１ｂ、１２１ｃの間隔、及び第２突起１２２の間隔をそれぞれ異なる間隔にして、直径が異なる複数のケーブルを保持できるようにしてもよい。
【００５１】
また、ノートパソコン１には、複数のケーブルクランプ１００が設けられてもよい。ケーブルクランプ１００が設けられる位置は、本実施形態において例示した位置に限られない。また、ケーブルクランプ１００が設けられる電子機器の一例としてノートパソコン１を例示したが、ケーブルクランプ１００は他の電子機器に設けられてもよい。例えば、デスクトップパソコンやサーバ等の情報処理端末、スマートフォンやタブレットＰＣ等の携帯情報端末、デジタルカメラ、ゲーム機、テレビ、コピー機、プリンタ、ファクシミリ、各種メディアプレイヤー等、内部に各種ケーブルが配線される電子機器においてケーブルクランプ１００を用いることができる。
【００５２】
次に、本実施形態におけるケーブルクランプ１００の変形例について説明する。
【００５３】
（変形例１）
図８は、変形例１におけるケーブルクランプ１００ａを示す図である。
【００５４】
変形例１におけるケーブルクランプ１００ａは、図８（Ａ）に示されるように、第１突起１２１及び第２突起１２２が、それぞれの先端がＸ１Ｘ２方向において他方の間まで延びるように形成されている。第１突起１２１は、先端がＸ１Ｘ２方向において第２突起１２２の先端と第２側壁１１２との間まで延びるように形成されている。また、第２突起１２２は、先端がＸ１Ｘ２方向において第１突起１２１の先端と第１側壁１１１との間まで延びるように形成されている。
【００５５】
図８（Ｂ）には、変形例１におけるケーブルクランプ１００ａが、第１突起１２１ａ、１２１ｂ及び第２突起１２２ａによりケーブル３０を保持する様子が示されている。
【００５６】
変形例１におけるケーブルクランプ１００ａでは、第１突起１２１と第２突起１２２との間に間隔Ｄ３を有する場合（図６（Ｃ））よりも、ケーブル３０が第１突起１２１の間の深い位置で挟み込まれて保持される。第２突起１２２が第１側壁１１１と第１突起１２１の先端との間まで延び、ケーブル３０を第１突起１２１の間の深い位置で押さえるためである。
【００５７】
第１突起１２１及び第２突起１２２は、ケーブル３０が深い位置に入り込むことで、第１突起１２１と第２突起１２２との間に間隔Ｄ３を有する場合に比べて変形量が大きくなる。このため、第１突起１２１及び第２突起１２２では、変形量に伴って復元力も大きくなり、ケーブル３０をより強く挟み込んで保持するようになる。このように、変位例１におけるケーブルクランプ１００ａによれば、ケーブル３０をより強く押さえて動かないように保持することができる。
【００５８】
（変形例２）
図９は、変形例２におけるケーブルクランプ１００ｂを示す図である。
【００５９】
図９（Ａ）に示されるように、変形例２におけるケーブルクランプ１００ｂは、第１突起１２１及び第２突起１２２の先端に返し部１２３が形成されている。返し部１２３は、円柱状に形成されている第１突起１２１及び第２突起１２２よりも直径が大きい半球状に形成されている。
【００６０】
図９（Ｂ）には、変形例２におけるケーブルクランプ１００ｂが、第１突起１２１ａ、１２１ｂ及び第２突起１２２ａによりケーブル３０を保持する様子が示されている。
【００６１】
変形例２におけるケーブルクランプ１００ｂでは、第１突起１２１がケーブル３０を間に挟み込むとともに返し部１２３がケーブル３０に引っ掛かることで、ケーブル３０が動かないように保持されている。また、ケーブル３０は、第２突起１２２により押さえられるとともに、第１突起１２１の返し部１２３に引っ掛かることで、第１突起１２１の間から抜けにくくなっている。
【００６２】
このように、変形例２におけるケーブルクランプ１００ｂによれば、返し部１２３がケーブル３０に引っ掛かるため、第１突起１２１及び第２突起１２２の間でケーブル３０が動きにくく且つ抜けにくくなる。
【００６３】
なお、返し部１２３は、第１突起１２１及び第２突起１２２の先端に形成されて間に挟み込まれているケーブル３０に引っ掛かることができる形状であれば、図９に例示される形状に限られるものではない。
【００６４】
（変形例３）
図１０は、変形例３におけるケーブルクランプ１００ｃの斜視図である。また、図１１は、変形例３におけるケーブルクランプ１００ｃの上面図及び正面図である。図１１（Ａ）はケーブルクランプ１００ｃの上面図であり、図１１（Ｂ）はケーブルクランプ１００ｃの正面図である。
【００６５】
図１０及び図１１に示されるように、変形例３におけるケーブルクランプ１００ｃでは、第１突起１２１及び第２突起１２２が、それぞれ表面がＺ１Ｚ２方向に直交する板状に形成されている。このように第１突起１２１及び第２突起１２２が板状に形成されているため、円柱状に形成されている場合に比べて、取り付けられるケーブル３０と第１突起１２１及び第２突起１２２との接触面積が大きくなる。
【００６６】
ケーブルクランプ１００ｃに取り付けられるケーブル３０は、接触面積が大きくなった第１突起１２１及び第２突起１２２から受ける摩擦力が大きくなり、第１突起１２１及び第２突起１２２に保持されてより動きにくく且つ抜けにくくなる。
【００６７】
このように、変形例３におけるケーブルクランプ１００ｃによれば、板状に形成されている第１突起１２１及び第２突起１２２により、ケーブル３０が動かないように固定して保持することができる。
【００６８】
なお、第１突起１２１及び第２突起１２２の形状は、円柱状や板状に限られるものではなく、例えば、楕円柱や多角柱等であってもよい。また、第１突起１２１及び第２突起１２２がそれぞれ異なる形状であってもよい。
【００６９】
（変形例４）
図１２は、変形例４におけるケーブルクランプ１００ｄを示す図である。
【００７０】
図１２に示されるように、変形例４におけるケーブルクランプ１００ｄは、差込口１１０が第２側壁１１２に形成されている。変形例４におけるケーブルクランプ１００ｄでは、第２側壁１１２に形成されている差込口１１０から差し込まれたケーブル３０が第１突起１２１と第２突起１２２との間を通り、第１突起１２１又は第２突起１２２に挟み込まれて保持される。
【００７１】
差込口１１０が第２側壁１１２に形成されることで、例えば第１突起１２１及び第２突起１２２の間から抜けたケーブル３０がＺ１方向に引き上げられても、第３側壁１１３に阻まれてケース１０１から外れることがない。また、差込口１１０は、幅Ｗがケーブル３０の直径未満になるように形成されている。このため、ケース１０１の内部に入れられたケーブル３０は、差込口１１０から外部に抜けにくくなっている。
【００７２】
このように、変形例４におけるケーブルクランプ１００ｄによれば、ケーブル３０が第１突起１２１及び第２突起１２２から抜けたとしても、ケース１０１から外れないようにケーブル３０を保持することができる。なお、差込口１１０は、第１側壁１１１又は第４側壁１１４に形成されてもよい。
【００７３】
以上、実施形態について詳述したが、上記した実施形態に限定されるものではなく、特許請求の範囲に記載された範囲内において、種々の変形及び変更が可能である。
【００７４】
以上の実施形態に関し、更に以下の付記を開示する。
（付記１）
ケーブルを固定して保持するケーブルクランプであって、
前記ケーブルが入れられるケースと、
前記ケースの内壁面に設けられている複数の第１突起と、
前記ケースの前記複数の第１突起とは反対側の内壁面に、前記複数の第１突起と互い違いに設けられている第２突起と、を有し、
前記複数の第１突起及び前記第２突起は、それぞれ可とう性を有し、
前記複数の第１突起の間隔及び前記複数の第１突起と前記第２突起との間隔が、前記ケーブルの直径未満である
ことを特徴とするケーブルクランプ。
（付記２）
前記複数の第１突起と前記第２突起との間隔が、前記ケーブルの半径未満である
ことを特徴とする付記１に記載のケーブルクランプ。
（付記３）
前記第２突起は、先端が前記複数の第１突起の間まで延びている
ことを特徴とする付記１又は２に記載のケーブルクランプ。
（付記４）
前記複数の第１突起は、間に挟んでいる前記ケーブルに引っ掛かる返し部が先端に形成されている
ことを特徴とする付記１から３の何れか一項に記載のケーブルクランプ。
（付記５）
前記複数の第１突起及び前記第２突起は、柱状に形成されている
ことを特徴とする付記１から４の何れか一項に記載のケーブルクランプ。
（付記６）
前記複数の第１突起及び前記第２突起は、板状に形成されている
ことを特徴とする付記１から４の何れか一項に記載のケーブルクランプ。
（付記７）
前記複数の第１突起及び前記第２突起は、弾性材料で形成されている
ことを特徴とする付記１から６の何れか一項に記載のケーブルクランプ。
（付記８）
前記ケースは、前記ケーブルが差し込まれる差込口が形成されており、
前記差込口の幅が、前記ケーブルの直径未満である
ことを特徴とする付記１から７の何れか一項に記載のケーブルクランプ。
（付記９）
前記ケースは、矩形の枠状に形成され、第１側壁に前記複数の第１突起が設けられるとともに、前記第１側壁と向かい合う第２側壁に前記第２突起が設けられており、
前記差込口は、前記ケースの前記第１側壁及び前記第２側壁に連結されている第３側壁に形成されている
ことを特徴とする付記８に記載のケーブルクランプ。
（付記１０）
前記ケースは、矩形の枠状に形成され、第１側壁に前記複数の第１突起が設けられるとともに、前記第１側壁と向かい合う第２側壁に前記第２突起が設けられており、
前記差込口は、前記第１側壁又は前記第２側壁に形成されている
ことを特徴とする付記８に記載のケーブルクランプ。
（付記１１）
付記１から１０の何れか一項に記載のケーブルクランプを有する
ことを特徴とする電子機器。
【符号の説明】
【００７５】
１  ノートパソコン
３０  ケーブル
１００  ケーブルクランプ
１０１  ケース
１１０  差込口
１２１ａ、１２１ｂ、１２１ｃ  第１突起
１２２ａ、１２２ｂ  第２突起
１２３  返し部
【図１】
0006712048.tif 000002
【図２】
0006712048.tif 000003
【図３】
0006712048.tif 000004
【図４】
0006712048.tif 000005
【図５】
0006712048.tif 000006
【図６】
0006712048.tif 000007
【図７】
0006712048.tif 000008
【図８】
0006712048.tif 000009
【図９】
0006712048.tif 000010
【図１０】
0006712048.tif 000011
【図１１】
0006712048.tif 000012
【図１２】
0006712048.tif 000013